(57)【特許請求の範囲】
【請求項１】
複数の無線ＬＡＮ装置と周波数チャネル切替装置とが通信可能な無線ＬＡＮシステムであって、
前記周波数チャネル切替装置は、
対向する前記無線ＬＡＮ装置間で使用する周波数チャネルを、使用可能な周波数チャネルの中から決定する周波数チャネル決定手段と、
前記決定された周波数チャネルへの切替要求を前記無線ＬＡＮ装置へ送信する切替制御手段とを有し、
前記無線ＬＡＮ装置は、
受信した前記切替要求に基づく前記周波数チャネルに切り替える周波数チャネル切替手段と、
前記周波数チャネル切替手段によって周波数チャネルを切り替えた後で、対向する前記無線ＬＡＮ装置間で切替処理確認パケットを送受信し、正常に送受信できた場合は、受信した前記切替要求の周波数チャネルで通信が確立したとみなし、正常に送受信できなかった場合は、再度、前記切替要求を受信する以前の周波数チャネルに切り替え戻し、正常に送受信できたか否かの旨を切替結果として前記周波数チャネル切替装置へ応答する周波数切替制御手段と
を有することを特徴とする無線ＬＡＮシステム。
【請求項２】
前記周波数チャネル切替装置は、前記対向する無線ＬＡＮ装置間で動的に変化する回線状態を収集するネットワーク管理手段と、該回線状態に基づいて前記周波数チャネルの切替を行うか否かを判定する切替判定手段とを更に有し、該切替判定手段の該判定に基づいて、前記周波数チャネル決定手段は動的に周波数チャネルを決定し、
前記無線ＬＡＮ装置は、前記周波数チャネル切替装置の前記ネットワーク管理手段へ回線状態を通知するネットワーク被管理手段を更に有することを特徴とする請求項１に記載の無線ＬＡＮシステム。
【請求項３】
前記回線状態は、対向する無線ＬＡＮ装置間について計数した全無線パケット数及びエラーパケット数であることを特徴とする請求項２に記載の無線ＬＡＮシステム。
【請求項４】
前記周波数チャネル切替装置の前記ネットワーク管理手段と、前記無線ＬＡＮ装置の前記ネットワーク被管理手段とは、ＳＮＭＰに基づいて通信されることを特徴とする請求項３に記載の無線ＬＡＮシステム。
【請求項５】
前記周波数チャネル切替装置の前記周波数チャネル決定手段は、更に偏波を決定するものであり、当該周波数チャネルの偏波が、該チャネルに隣接する他の周波数チャネルの偏波と重複しないように、当該周波数チャネルを決定することを特徴とする請求項１から４のいずれか１項に記載の無線ＬＡＮシステム。
【請求項６】
前記周波数チャネル切替装置の前記切替制御手段は、複数の無線ＬＡＮ装置から受信した前記切替結果のうち、１つでも正常に送受信できない旨の場合は、再度、前記複数の無線ＬＡＮ装置の全てに対して、前記切替要求をする以前の周波数チャネルに切り替え戻すように切替要求を送信することを特徴とする請求項１から５のいずれか１項に記載の無線ＬＡＮシステム。
【請求項７】
前記対向する無線ＬＡＮ装置間が１つの親局と複数の子局とから構成される場合に、
前記無線ＬＡＮ装置の前記ネットワーク被管理手段は、前記親局と前記各子局との間の無線リンク毎に、全無線パケット数に占める成功パケット数の単位時間当たりの割合値を計数し、該無線リンク毎の該割合値を前記周波数チャネル切替装置へ送信し、
前記周波数チャネル切替装置の前記ネットワーク管理手段によって受信された前記割合値に基づいて、前記切替判定手段は、前記割合値が閾値よりも小さい無線リンクの数に応じて、前記周波数チャネルの切替を行うか否かを判定することを特徴とする請求項１から６のいずれか１項に記載の無線ＬＡＮシステム。
【請求項８】
前記周波数チャネル切替装置の前記切替判定手段は、前記閾値を、単位時間当たりの周波数切替回数に応じて動的に変更することを特徴とする請求項７に記載の無線ＬＡＮシステム。
【請求項９】
複数の無線ＬＡＮ装置と周波数チャネル切替装置とが通信可能な無線ＬＡＮシステムの周波数チャネル切替方法であって、
前記周波数チャネル切替装置が、対向する前記無線ＬＡＮ装置間で使用する周波数チャネルを、使用可能な周波数チャネルの中から決定する周波数チャネル決定段階と、
前記周波数チャネル切替装置が、前記決定された周波数チャネルへの切替要求を前記無線ＬＡＮ装置へ送信する切替制御段階と、
前記無線ＬＡＮ装置が、受信した前記切替要求に基づく前記周波数チャネルに切り替える周波数チャネル切替段階と、
前記無線ＬＡＮ装置が、前記周波数チャネル切替段階の後で、対向する前記無線ＬＡＮ装置間で切替処理確認パケットを送受信し、正常に送受信できた場合は、受信した前記切替要求の周波数チャネルで通信が確立したとみなし、正常に送受信できなかった場合は、再度、前記切替要求を受信する以前の周波数チャネルに切り替え戻し、正常に送受信できたか否かの旨を切替結果として前記周波数チャネル切替装置へ応答する周波数切替制御段階と
を有することを特徴とする無線ＬＡＮシステムの周波数切替方法。
【請求項１０】
前記周波数チャネル切替装置は、前記対向する無線ＬＡＮ装置間で動的に変化する回線状態を収集し、該回線状態に基づいて前記周波数チャネルの切替を行うか否かを判定する切替判定段階とを更に有し、該切替判定段階の該判定に基づいて、前記周波数チャネル決定段階で動的に周波数チャネルを決定し、
前記無線ＬＡＮ装置は、前記周波数チャネル切替装置へ回線状態を通知する段階を更に有することを特徴とする請求項９に記載の周波数切替方法。
【請求項１１】
前記回線状態は、対向する無線ＬＡＮ装置間について計数した全無線パケット数及びエラーパケット数であることを特徴とする請求項１０に記載の周波数切替方法。
【請求項１２】
前記回線状態は、ＳＮＭＰに基づいて通信されることを特徴とする請求項１１に記載の周波数切替方法。
【請求項１３】
前記周波数チャネル切替装置の前記周波数チャネル決定段階は、更に偏波を決定するものであり、当該周波数チャネルの偏波が、該チャネルに隣接する他の周波数チャネルの偏波と重複しないように、当該周波数チャネルを決定することを特徴とする請求項９から１２のいずれか１項に記載の周波数切替方法。
【請求項１４】
前記周波数チャネル切替装置の前記切替制御段階は、複数の無線ＬＡＮ装置から受信した前記切替結果のうち、１つでも正常に送受信できない旨の場合は、再度、前記複数の無線ＬＡＮ装置の全てに対して、前記切替要求をする以前の周波数チャネルに切り替え戻すように切替要求を送信することを特徴とする請求項９から１３のいずれか１項に記載の周波数切替方法。
【請求項１５】
前記対向する無線ＬＡＮ装置間が１つの親局と複数の子局とから構成される場合に、
前記無線ＬＡＮ装置は、前記親局と前記各子局との間の無線リンク毎に、全無線パケット数に占める成功パケット数の単位時間当たりの割合値を計数し、該無線リンク毎の該割合値を前記周波数チャネル切替装置へ送信する段階と、
前記周波数チャネル切替装置によって受信された前記割合値に基づいて、前記切替判定段階は、前記割合値が閾値よりも小さい無線リンクの数に応じて、前記周波数チャネルの切替を行うか否かを判定することを特徴とする請求項９から１４のいずれか１項に記載の周波数切替方法。
【請求項１６】
前記周波数チャネル切替装置の前記切替判定段階は、前記閾値を、単位時間当たりの周波数切替回数に応じて動的に変更することを特徴とする請求項１５に記載の周波数切替方法。
【発明の詳細な説明】
【０００１】
【発明の属する技術分野】
本発明は、無線ＬＡＮシステム及び周波数チャネル切替方法に関する。
【０００２】
【従来の技術】
近年、オフィスや家庭等において、敷設の容易さや経済性等の観点から、無線ＬＡＮ（Local Area Network）が注目されている。
【０００３】
無線ＬＡＮでは、既存の無線システムからの電波干渉等により、通信速度の低下などの影響を受ける。例えば2.4GHz帯では、ＩＳＭ(Industrial, Scientific and Medical)バンドの一部が無線ＬＡＮに開放されており、電子レンジなどの産業科学医療機器からの干渉が存在する。
【０００４】
1999年10月に、2.4GHz帯無線ＬＡＮに割り当てられる周波数帯が2.400GHzから2.4835GHzまでの83.5MHzに拡大され、その帯域内で最大4つの周波数チャネル使用できることとなった。これにより、干渉の影響等に応じて異なる周波数チャネルを選択し、複数のユーザが互いに干渉せずに同時に通信することが可能となった。
【０００５】
従来の無線ＬＡＮ装置では、事前に干渉の影響を調査して静的に周波数チャネルを決定したり、ユーザが通信速度の低下を申告したり無線ＬＡＮ装置のコンソールでエラーの発生等を検出した際に、使用中の周波数チャネルから別の周波数チャネルへの変更を手動で制御することにより実現していた。
【０００６】
【発明が解決しようとする課題】
しかしながら、無線ＬＡＮにおける干渉の影響は、他システムの周波数の使用状況により、動的に変化する。従って、従来方式では、動的に発生する干渉の影響に対して迅速に対応できず、干渉によるパケット損失や再送、回線断等の発生を低減させたり防止することが困難であるという問題があった。
【０００７】
そこで、本発明の目的は、上記した従来技術の問題点を解決し、通信中の無線ＬＡＮ装置におけるエラー発生状況に応じて、使用する周波数チャネルを動的に制御する方法及び装置を提供することにある。
【０００８】
【課題を解決するための手段】
前記目的を達成するために、本発明の無線ＬＡＮシステムによれば、複数の無線ＬＡＮ装置と周波数チャネル切替装置とが通信可能であり、
周波数チャネル切替装置は、
対向する無線ＬＡＮ装置間で使用する周波数チャネルを、使用可能な周波数チャネルの中から決定する周波数チャネル決定手段と、
決定された周波数チャネルへの切替要求を無線ＬＡＮ装置へ送信する切替制御手段とを有し、
無線ＬＡＮ装置は、
受信した切替要求に基づく周波数チャネルに切り替える周波数チャネル切替手段と、
周波数チャネル切替手段によって周波数チャネルを切り替えた後で、対向する無線ＬＡＮ装置間で切替処理確認パケットを送受信し、正常に送受信できた場合は、受信した切替要求の周波数チャネルで通信が確立したとみなし、正常に送受信できなかった場合は、再度、切替要求を受信する以前の周波数チャネルに切り替え戻し、正常に送受信できたか否かの旨を切替結果として周波数チャネル切替装置へ応答する周波数切替制御手段と
を有することを特徴とする。
これにより、正常に送受信できなかった場合、無線ＬＡＮ装置が自律的に切替前の周波数チャネルに戻すことができる。
【０００９】
本発明の他の実施形態によれば、周波数チャネル切替装置は、対向する無線ＬＡＮ装置間で動的に変化する回線状態を収集するネットワーク管理手段と、該回線状態に基づいて周波数チャネルの切替を行うか否かを判定する切替判定手段とを更に有し、該切替判定手段の該判定に基づいて、周波数チャネル決定手段は動的に周波数チャネルを決定し、無線ＬＡＮ装置は、周波数チャネル切替装置のネットワーク管理手段へ回線状態を通知するネットワーク被管理手段を更に有することも好ましい。
【００１０】
本発明の他の実施形態によれば、回線状態は、対向する無線ＬＡＮ装置間について計数した全無線パケット数及びエラーパケット数であることも好ましい。
【００１１】
本発明の他の実施形態によれば、周波数チャネル切替装置のネットワーク管理手段と、無線ＬＡＮ装置のネットワーク被管理手段とは、ＳＮＭＰ（Simple Network Management Protocol）に基づいて通信されるものであってもよい。
【００１２】
本発明の他の実施形態によれば、周波数チャネル切替装置の周波数チャネル決定手段は、更に偏波を決定するものであり、当該周波数チャネルの偏波が、該チャネルに隣接する他の周波数チャネルの偏波と重複しないように、当該周波数チャネルを決定することも好ましい。
【００１４】
本発明の他の実施形態によれば、周波数チャネル切替装置の切替制御手段は、複数の無線ＬＡＮ装置から受信した切替結果のうち、１つでも正常に送受信できない旨の場合は、再度、複数の無線ＬＡＮ装置の全てに対して、切替要求をする以前の周波数チャネルに切り替え戻すように切替要求を送信することも好ましい。
【００１５】
本発明の他の実施形態によれば、対向する無線ＬＡＮ装置間が１つの親局と複数の子局とから構成される場合に、無線ＬＡＮ装置のネットワーク被管理手段は、親局と各子局との間の無線リンク毎に、全無線パケット数に占める成功パケット数の単位時間当たりの割合値を計数し、該無線リンク毎の該割合値を周波数チャネル切替装置へ送信し、周波数チャネル切替装置のネットワーク管理手段によって受信された割合値に基づいて、切替判定手段は、割合値が閾値よりも小さい無線リンクの数に応じて、周波数チャネルの切替を行うか否かを判定することも好ましい。
【００１６】
本発明の他の実施形態によれば、周波数チャネル切替装置の切替判定手段は、閾値を、単位時間当たりの周波数切替回数に応じて動的に変更することも好ましい。
【００１７】
本発明による、複数の無線ＬＡＮ装置と周波数チャネル切替装置とが通信可能な無線ＬＡＮシステムの周波数切替方法によれば、
周波数チャネル切替装置が、対向する無線ＬＡＮ装置間で使用する周波数チャネルを、使用可能な周波数チャネルの中から決定する周波数チャネル決定段階と、
周波数チャネル切替装置が、決定された周波数チャネルへの切替要求を無線ＬＡＮ装置へ送信する切替制御段階と、
無線ＬＡＮ装置が、受信した切替要求に基づく周波数チャネルに切り替える周波数チャネル切替段階と、
無線ＬＡＮ装置が、周波数チャネル切替段階の後で、対向する無線ＬＡＮ装置間で切替処理確認パケットを送受信し、正常に送受信できた場合は、受信した切替要求の周波数チャネルで通信が確立したとみなし、正常に送受信できなかった場合は、再度、切替要求を受信する以前の周波数チャネルに切り替え戻し、正常に送受信できたか否かの旨を切替結果として周波数チャネル切替装置へ応答する周波数切替制御段階と
を有することを特徴とする。
【００１８】
本発明の他の実施形態によれば、周波数チャネル切替装置は、対向する無線ＬＡＮ装置間で動的に変化する回線状態を収集し、該回線状態に基づいて周波数チャネルの切替を行うか否かを判定する切替判定段階とを更に有し、該切替判定段階の該判定に基づいて、周波数チャネル決定段階で動的に周波数チャネルを決定し、無線ＬＡＮ装置は、周波数チャネル切替装置へ回線状態を通知する段階を更に有することも好ましい。
【００１９】
本発明の他の実施形態によれば、回線状態は、対向する無線ＬＡＮ装置間について計数した全無線パケット数及びエラーパケット数であることも好ましい。
【００２０】
本発明の他の実施形態によれば、回線状態は、ＳＮＭＰに基づいて通信されることも好ましい。
【００２１】
本発明の他の実施形態によれば、周波数チャネル切替装置の周波数チャネル決定段階は、更に偏波を決定するものであり、当該周波数チャネルの偏波が、該チャネルに隣接する他の周波数チャネルの偏波と重複しないように、当該周波数チャネルを決定することも好ましい。
【００２３】
本発明の他の実施形態によれば、周波数チャネル切替装置の切替制御段階は、複数の無線ＬＡＮ装置から受信した切替結果のうち、１つでも正常に送受信できない旨の場合は、再度、複数の無線ＬＡＮ装置の全てに対して、切替要求をする以前の周波数チャネルに切り替え戻すように切替要求を送信することも好ましい。
【００２４】
本発明の他の実施形態によれば、対向する無線ＬＡＮ装置間が１つの親局と複数の子局とから構成される場合に、無線ＬＡＮ装置は、親局と各子局との間の無線リンク毎に、全無線パケット数に占める成功パケット数の単位時間当たりの割合値を計数し、該無線リンク毎の該割合値を周波数チャネル切替装置へ送信する段階と、周波数チャネル切替装置によって受信された割合値に基づいて、切替判定段階は、割合値が閾値よりも小さい無線リンクの数に応じて、周波数チャネルの切替を行うか否かを判定することも好ましい。
【００２５】
本発明の他の実施形態によれば、周波数チャネル切替装置の切替判定段階は、閾値を、単位時間当たりの周波数切替回数に応じて動的に変更することも好ましい。
【００２６】
【発明の実施の形態】
以下では、図面を参照して、本発明の実施形態を詳細に説明する。
【００２７】
図１は、本発明によるシステム構成図である。図１によれば、親局２０Ａと、子局２０Ｂ及び２０Ｃとが存在するポイント・ツー・マルチポイント型の無線ＬＡＮネットワークを示している。勿論、本発明は、ポイント・ツー・ポイント型の無線ＬＡＮネットワークにも適用可能である。また、無線ＬＡＮの周波数チャネル切替方法を実現する周波数チャネル切替装置１０と各無線ＬＡＮ装置２０Ａ、２０Ｂ及び２０Ｃとは、有線又は無線のネットワークを介して接続されている。
【００２８】
周波数チャネル切替装置１０は、ネットワークを介して、ポーリング等により各無線ＬＡＮ装置２０Ａ、２０Ｂ及び２０Ｃの回線状態の監視又は周波数チャネル切替の制御を行う。監視又は制御の手順には、ネットワーク管理プロトコルであるＳＮＭＰを利用することができる。具体的には、周波数チャネル切替装置１０が管理装置となり、無線ＬＡＮ装置２０Ａ、２０Ｂ及び２０Ｃが被管理装置となる。周波数チャネル切替装置１０から管理情報の取得要求又は周波数チャネルの切替要求等を発行し、無線ＬＡＮ装置２０Ａ、２０Ｂ及び２０Ｃがそれに対して応答することで実現される。
【００２９】
図２は、本発明における周波数チャネル切替装置の構成図である。図２によれば、周波数チャネル切替装置は、切替判定モジュール１０１と、周波数チャネル決定モジュール１０２と、切替制御モジュール１０３と、ネットワークとのＩ／Ｆ（インタフェース）モジュール１０４と、ネットワーク管理モジュール１０５とから構成されている。
【００３０】
図３は、切替判定モジュールの主要部の動作を示したフローチャートである。該フローチャートを参照して、切替判定モジュール１０１の動作を詳細に説明する。ステップＳ１１でポーリング周期が満了すると、ステップＳ１２において、各無線ＬＡＮ装置に対し、全送信無線パケット数及び全受信無線パケット数と、送信エラーパケット数及び受信エラーパケット数との取得要求をそれぞれ発行する。送信エラーパケット数は、例えば受信側の無線ＬＡＮ装置が送信側の無線ＬＡＮ装置に対して確認応答パケットを発行する場合、送信側の無線ＬＡＮ装置で一定時間内に確認応答パケットを受信できなかった数である。また、受信エラーは、例えばＣＲＣ(Cyclic Redundancy Check)などの誤り検出手段により、受信側の無線ＬＡＮ装置で破棄されたパケット数である。
【００３１】
次に、ステップＳ１３で、前述したそれぞれの値から、全送信パケット数に占める送信に成功したパケット数の割合Ｒ１と、全受信パケット数に占める受信に成功したパケット数の割合Ｒ２とを、次式（１）及び（２）を用いて求める。これらＲ１及びＲ２を無線装置毎にそれぞれ算出する。
Ｒ１＝（全送信パケット数−送信エラーパケット数）／全送信パケット数 (1)Ｒ２＝（全受信パケット数−受信エラーパケット数）／全受信パケット数 (2)無線ＬＡＮ装置では、前述した各パケット数を通常カウンタとして値を保持している。その場合、今回のポーリング時に取得したパケット数から、前回のポーリング時に取得したパケット数をそれぞれ減じることによって、ポーリング周期内の各パケット数を得ることができる。
【００３２】
ステップＳ１４では、閾値ＴＨ１と各無線ＬＡＮ装置のＲ１及びＲ２とを比較する。その結果、対向した無線ＬＡＮ装置内に一つでもＴＨを下回るＲ１又はＲ２が存在すれば、無線回線の品質劣化と判断して周波数チャネル決定モジュールへ処理を移行する。逆に、そうでなければ、次のポーリング周期に前述した各パケット数を取得し、前述の判断を周期的に繰り返す。
【００３３】
図４は、ＴＨの決定方法のフローチャートである。ＴＨは0から１の間の数であり、ステップＳ２１で初期値に設定する。例えば、ＴＨを0.9に設定する。その後、ステップＳ２２において、該無線ＬＡＮ装置で周波数チャネルの変更が発生するまで待ち状態となる。周波数チャネルの変更が発生した場合、ステップＳ２３では、その変更回数ｎとｒを比較する。例えばｒを４とすると、４回周波数チャネルの変更が行われた場合に条件を満足するためステップＳ２４に進み、４回以下ならステップＳ２２に戻る。
【００３４】
ステップＳ２４では、該無線ＬＡＮ装置では干渉等による回線品質の劣化が頻出すると判断し、ＴＨをqだけ小さくすることで、より迅速に周波数チャネルの切替を行うようにし、nを0にリセットする。例えば、ｑを0.05とすれば、ＴＨの値は0.85となる。ステップＳ２５では、周波数チャネルの変更が一定時間の間に行われたかどうかを判定する。行われている場合には、回線品質が劣化中であるため、ステップＳ２２に戻る。そうでない場合には、回線品質が改善したものと判断し、ステップＳ２６でＴＨをqだけ増加させる。ここで、ＴＨの値は、0から1の範囲で変化するものとする。
【００３５】
図５は、周波数チャネル決定モジュール１０２の処理のフローチャートである。周波数チャネルは、複数(ｆ１、ｆ２、…ｆｎ)使用可能なものとする。まずステップＳ３１で、切替対象である無線ＬＡＮ装置の現在の周波数チャネルｆｉを確認する。これは、周波数チャネル切替装置から無線ＬＡＮ装置にＳＮＭＰ等で問い合わせを行うことで実現する。
【００３６】
ステップＳ３２ではiを１増加し、切り替える周波数チャネルの候補とする。例えば、現在周波数チャネルｆ２を使用していた場合には、ｆ３が候補となる。ステップＳ３３では、このｆｉが、該無線ＬＡＮ装置の隣接ビームで重複して使用されているかを確認する。使用されていなければ、ステップＳ３５でこの周波数チャネルｆｉに切り替えることを決定し、使用されていればｆｉで干渉が起きる可能性があるものとし、ステップＳ３４に進む。
【００３７】
ステップＳ３４では、ｆｉの偏波（垂直、水平など）が隣接ビームで使用されているかを確認する。偏波が重複しなければ、干渉を回避できる可能性が大きいため、ステップＳ３５でこの周波数チャネルｆｉに決定する。重複していれば、ステップＳ３２に戻り、次の周波数チャネルの候補について同一の処理を行う。もし全ての周波数チャネルについて、周波数チャネル及び偏波が重複していた場合には、周波数チャネルの変更を行わないなどの規則を定める。
【００３８】
次に、切替制御モジュール１０３の処理について説明する。切替制御モジュールでは、切替対象の複数の無線ＬＡＮ装置に対し、周波数チャネル決定モジュールで決定された周波数チャネルｆｉへの変更要求を発行する。周波数チャネル変更処理は、対向した無線ＬＡＮ装置において一つでも失敗すると、その間での通信が正常に実行できなくなる。
【００３９】
そこで、切替要求が成功したかどうか、切替制御モジュールから各無線ＬＡＮ装置に問い合わせを行う。各無線ＬＡＮ装置からの応答が全て成功であれば、正常に切替処理が実行されたと判断し、切替制御は終了する。一つでも失敗が応答された場合か、あるいは応答がなかった場合、周波数切替に失敗したと判断し、元の周波数チャネルへの変更要求を各無線ＬＡＮ装置全てに発行する。切替制御モジュールでは、変更前の周波数チャネルを保持しておく必要がある。
【００４０】
図６は、本発明における無線ＬＡＮ装置の構成図である。無線ＬＡＮ装置２０は、図示されているように、ネットワーク被管理モジュール２０１と、周波数チャネル切替モジュール２０２と、周波数チャネル切替制御モジュール２０３と、ネットワークとのＩ／Ｆモジュール２０４とから構成されている。
【００４１】
Ｉ／Ｆモジュール２０４は、無線パケットの作成・解析及び送受信や有線ＬＡＮとのインタフェースなど、通常の無線ＬＡＮ装置としての基本的な機能を有する。ネットワーク被管理モジュール２０１は、このＩ／Ｆモジュール２０４が送受信する全無線パケットの送受信数又はエラーパケット数を管理し、周波数チャネル切替装置からのネットワークを介した問い合わせに対して応答する。また、周波数チャネル切替装置からの切替要求も一旦ネットワーク被管理モジュール２０１で受信し、周波数チャネル切替モジュール２０２と周波数チャネル切替制御モジュール２０３に要求を転送する。
【００４２】
図７は、周波数チャネル切替時の処理のフローチャートである。ステップＳ４１では、Ｉ／Ｆモジュール２０４を介してネットワーク被管理モジュール２０１で周波数チャネル切替装置からの切替要求を受信する。ステップＳ４２では、周波数チャネル切替モジュール２０２において、切替処理を実行する。
【００４３】
周波数チャネル切替制御モジュール２０３は、ステップＳ４３でその結果を確認し、成功していれば、ステップＳ４４で、Ｉ／Ｆモジュール２０４を介して確認用の無線パケットを送出する。対向した無線ＬＡＮ装置も同じ処理を行うため、ステップＳ４５で、確認用の無線パケットを一定時間内に受信できれば、相手局も周波数チャネルの切替に成功していると判断し、ステップＳ４６で周波数チャネル切替装置に成功応答を返す。
【００４４】
ステップＳ４３で周波数チャネル切替処理に失敗した場合、またはステップＳ４５で確認用の無線パケットを一定時間内に受信できなかった場合、ステップＳ４７で切替前の周波数チャネルに戻し、ステップＳ４８で周波数チャネル切替装置に失敗応答を返す。
【００４５】
上記したように、本実施形態によれば、ネットワークを介した遠隔の周波数チャネル切替制御装置から、動的かつ一元的に周波数チャネルの切替制御が可能となる。
【００４６】
また、本実施形態では、周波数チャネルの切替に失敗した場合においても、自動的に元の周波数チャネルに戻すことができるため、対向した無線ＬＡＮ装置間で同一の周波数チャネルを使用できるようになる。
【００４７】
前述した本発明の種々の実施形態について、本発明の技術思想及び見地の範囲の種々の変更、修正及び省略は、当業者によれば容易に行うことができる。前述の説明はあくまで例であって、何ら制約しようとするものではない。本発明は、特許請求の範囲及びその均等物として限定するものにのみ制約される。
【００４８】
【発明の効果】
以上、詳細に説明したように、本発明によれば、無線ＬＡＮの回線品質劣化を自動的にそれを検知し、隣接ビームの干渉の影響を軽減するような周波数チャネルに動的に変更することができるようになる。この結果、複数の周波数チャネルが使用可能な無線ＬＡＮ装置において、従来手動で変更していた周波数チャネルを回線状況に応じて迅速に変更でき、かつ干渉の発生する可能性が少ない周波数チャネルを適切に選択することができる。
【００４９】
また、無線ＬＡＮ装置の不具合やネットワークを介した周波数チャネル切替要求のパケットが失われた場合においても、周波数チャネルの不一致による通信不能の状態に陥らないようにすることができる。
【図面の簡単な説明】
【図１】本発明を適用したネットワークを模式的に表現した図である。
【図２】本発明の周波数チャネル切替装置の機能構成図である。
【図３】切替判定モジュール１０１の動作を示したフローチャートである。
【図４】切替判定モジュール１０１における閾値ＴＨの決定方法を示したフローチャートである。
【図５】周波数チャネル決定モジュール１０２の処理のフローチャートである
【図６】本発明の無線ＬＡＮ装置の機能構成図である。
【図７】本発明の無線ＬＡＮ装置における周波数チャネル切替制御のフローチャートである。
【符号の説明】
１０  周波数チャネル切替装置
２０、２０Ａ、２０Ｂ、２０Ｃ  無線ＬＡＮ装置
１０１  切替判定モジュール
１０２  周波数チャネル決定モジュール
１０３  切替制御モジュール
１０４、２０４  Ｉ／Ｆモジュール
１０５  ネットワーク管理モジュール
２０１  ネットワーク被管理モジュール
２０２  周波数チャネル切替モジュール
２０３  周波数チャネル切替制御モジュール
【図１】
0003744365.tif 000002
【図２】
0003744365.tif 000003
【図３】
0003744365.tif 000004
【図４】
0003744365.tif 000005
【図５】
0003744365.tif 000006
【図６】
0003744365.tif 000007
【図７】
0003744365.tif 000008